(57)【要約】      （修正有）【課題】カルテ様式を用いたう蝕用、歯周病用、咬合用、口腔衛生用、定期検診用の歯科用チャートを提供する。【解決手段】う蝕用チャート１０において、１２は咬合面（臼歯のみ）と頬側面、舌側面、隣接面からなる歯冠部を、１３は歯根部を示すものであり、それぞれを図形化した上下１対の模擬歯の図形１４として直線状に配する。各歯には上下の歯列をそれぞれ２分し、上部左、上部右、下部右、下部左の各ブロック順に歯牙の番号１５を順次付してあり、該番号１５の列は上下１対の模擬歯の図形１４の中間に配して歯列全体を表示している。また各歯根の外側には各歯ごとに仕切る仕切り線（点線）１６が記入してあり、各歯のそれぞれにう蝕の程度や症状等が間違いなく記入できるようにする。そして、前記上下１対の模擬歯の図形１４を単一チャート１１として、これを１枚の用紙の上下に配し、さらに各チャート１１のそれぞれに歯科医のメモを書き込むノート欄１７が配置する。【選択図】図１
0003159231.tif 000002
【実用新案登録請求の範囲】
【請求項１】
歯冠および歯根をそれぞれ図形化した上下１対の模擬歯の図形を直線状に配して各歯に歯牙の番号を順次付して１つのチャートとするとともに、これを１枚の用紙の上下に配し、さらに各チャートのそれぞれにノート欄を配置したことを特徴とするう蝕用、歯周病用、咬合用、口腔衛生用、定期検診用の歯科用チャート。
【請求項２】
前記上下１対の模擬歯の図形の歯根部が、それぞれ深さ方向に向かう目盛りを形成されていることを特徴とする請求項１記載のう蝕用、歯周病用、咬合用、口腔衛生用、定期検診用の歯科用チャート。
【請求項３】
前記歯科用チャートが、う蝕用、歯周病用、咬合用、口腔衛生用、定期検診用の各用紙に分離されていることを特徴とする請求項１記載のう蝕用、歯周病用、咬合用、口腔衛生用、定期検診用の歯科用チャート。
【考案の詳細な説明】
【技術分野】
【０００１】
この考案は、自由診療によるカルテ様式を備えたう蝕用、歯周病用、咬合用、口腔衛生用、定期検診用の歯科用チャートに関するものである。
【背景技術】
【０００２】
従来、この種の歯科用チャートとしては、実開昭４７−３０５９０号公報（特許文献１参照）の歯科用カルテが知られている。
該実開昭４７−３０５９０号公報記載の歯科用カルテは、歯冠および歯根をそれぞれ図形化した模擬歯図形を直線状に配し、この模擬歯図形に平行して治療計画書込み欄および治療スケジュール書込み欄を設けたことを特徴とするものである。
【０００３】
健康保険制度の普及により、このような保険専用のチャートは遍く普及しているが、自由診療によるカルテ様式を備えたう蝕用、歯周病用、咬合用、口腔衛生用、定期検診用の歯科用チャートは現在まで存在しなかった。
【先行技術文献】
【特許文献】
【０００４】
【特許文献１】実開昭４７−３０５９０号公報
【考案の概要】
【考案が解決しようとする課題】
【０００５】
上述のように、実開昭４７−３０５９０号公報（特許文献１参照）には、歯冠および歯根をそれぞれ図形化した模擬歯図形を直線状に配し、この模擬歯図形に平行して治療計画書込み欄および治療スケジュール書込み欄を設けた歯科用カルテが示されている。
【０００６】
しかしながら従来、自由診療に適合したカルテ様式を用いたう蝕用、歯周病用、咬合用、口腔衛生用、定期検診用の歯科用チャートは存在していなかった。
特に、歯科用チャートにおいて模擬歯の図形上の処置や観察の指示面と処理プロセスや処置の不具合の指示面とが記入可能であり、しかも各指示面にメモ書きできるノート欄を備えた自由診療に適合したカルテ様式を用いたう蝕用、歯周病用、咬合用、口腔衛生用、定期検診用の歯科用チャートは存在しなかったのである。
【０００７】
したがって、この考案のう蝕用、歯周病用、咬合用、口腔衛生用、定期検診用の歯科用チャートは、上述した従来の歯科用カルテには存在しなかった、新規な自由診療に適合したカルテ様式を用いたう蝕用、歯周病用、咬合用、口腔衛生用、定期検診用の歯科用チャートを提供しようとするものである。
【課題を解決するための手段】
【０００８】
すなわちこの考案のう蝕用、歯周病用、咬合用、口腔衛生用、定期検診用の歯科用チャートは、歯冠および歯根をそれぞれ図形化した上下１対の模擬歯の図形を直線状に配して各歯に歯牙の番号を順次付して１つのチャートとするとともに、これを１枚の用紙の上下に配し、さらに各チャートのそれぞれにノート欄を配置したことを特徴とするものである。
【０００９】
この考案のう蝕用、歯周病用、咬合用、口腔衛生用、定期検診用の歯科用チャートは、前記上下１対の模擬歯の図形の歯根部が、それぞれ深さ方向に向かう目盛りを形成されていることをも特徴とするものである。
【００１０】
この考案のう蝕用、歯周病用、咬合用、口腔衛生用、定期検診用の歯科用チャートは、前記歯科用チャートが、う蝕用、歯周病用、咬合用、口腔衛生用、定期検診用の各用紙に分離されていることをも特徴とするものである。
【考案の効果】
【００１１】
以上のようにこの考案によれば、歯科用チャートにおいて模擬歯の図形上の処置や観察の指示面と処理プロセスや処置の不具合の指示面とが記入可能であり、しかも各指示面にメモ書きできるノート欄を備えた自由診療に適合したカルテ様式を用いたう蝕用、歯周病用、咬合用、口腔衛生用、定期検診用の歯科用チャートを提供することができるようになった。
したがって、歯科医はう蝕用、歯周病用、咬合用、口腔衛生用、定期検診用の各用紙に実情に即して処置や観察の指示面と処理プロセスや処置の不具合の指示面を記入することができ、懇切丁寧な歯科治療を施すことができるようになった。
【図面の簡単な説明】
【００１２】
【図１】この考案のう蝕用、歯周病用、咬合用、口腔衛生用、定期検診用の歯科用チャート中のう蝕用チャートを示す表面図である。
【図２】その使用状態を示す表面図である。
【図３】この考案のう蝕用、歯周病用、咬合用、口腔衛生用、定期検診用の歯科用チャート中の歯周病用チャートを示す表面図である。
【図４】その使用状態を示す表面図である。
【図５】咬合診査用の歯科用チャートのチャート１（記入前）を示す表面図である。
【図６】咬合診査用の歯科用チャートのチャート１（記入後）を示す表面図である。
【図７】咬合診査用の歯科用チャートのチャート２（記入前）を示す表面図である。
【図８】咬合診査用の歯科用チャートのチャート２（記入後）を示す表面図である。
【図９】口腔衛生用の歯科用チャートを示す表面図である。
【図１０】口腔衛生用の歯科用チャート（記入後）を示す表面図である。
【図１１】この考案のう蝕用、歯周病用、咬合用、口腔衛生用、定期検診用の歯科用チャート中の定期検診用チャート（記入前）を示す表面図である。
【図１２】定期検診用チャート（記入後）を示す表面図である。
【図１３】自由診療に際し、顧客に対して治療計画および費用の見積りを提示するための治療請負契約用の歯科用チャート（記入前）を示す表面図である。
【図１４】治療請負契約用の歯科用チャート（記入後）を示す表面図である。
【考案を実施するための形態】
【００１３】
以下、この考案におけるう蝕用、歯周病用、咬合用、口腔衛生用、定期検診用の歯科用チャート、および咬合診査用の歯科用チャート、口腔衛生用の歯科用チャートの実施の形態を図面に基いてより詳しく説明する。
図１に示す、う蝕用チャート１０の実施例において、１２は咬合面（臼歯のみ）と頬側面、舌側面、隣接面からなる歯冠部を、１３は歯根部を示すものであり、それぞれを図形化した上下１対の模擬歯の図形１４として直線状に配してある。
前記各歯には上下の歯列をそれぞれ２分し、上部左、上部右、下部右、下部左の各ブロック順に歯牙の番号１５を順次付してあり、該番号１５の列は上下１対の模擬歯の図形１４の中間に配して歯列全体を表示している。また各歯根の外側には各歯ごとに仕切る仕切り線（点線）１６が記入してあり、各歯のそれぞれにう蝕の程度や症状等が間違いなく記入することができるようになっている。
そして、前記上下１対の模擬歯の図形１４を単一チャート１１として、これを１枚の用紙の上下に配し、さらに各チャート１１のそれぞれに歯科医のメモを書き込むノート欄１７が配置してある。
【００１４】
う蝕の診断に際しては、歯科医は図１の矢印１８−１の方向に、歯の側面、歯の歯冠部、歯の隣接面の順に順次う蝕の有無や状態をチェックし、これを矢印１８−２の方向に繰り返して読みあげる。それを看護士が上部チャート１１のそれぞれに書き込む。また、特に歯科医のコメントがあるときにはノート欄１７に書き込む。
前記う蝕の診断を元にう蝕を治療した後、歯科医は上記診断の際の手順に沿って、歯の側面、歯の歯冠部、歯の隣接面の順に順次う蝕の治療結果や状態をチェックして読みあげる。それを看護士が下部チャート１１のそれぞれに書き込む。また、特に歯科医のコメントがあるときにはノート欄１７に書き込む。
以上のように本う蝕用チャート１０を利用することにより、う蝕の程度や症状等が明確に記録され、治療の指針となってう蝕の治療が非常にしやすくなる。
【００１５】
前記う蝕用チャート１０の使用状態を図２に示す。
それぞれう蝕の診断記録をチャート１に、治療結果をチャート２に記入したものである。
ＦO＝冠破損、Ｕ＝アンレー破損、Ａ＝アマルガム破損、ＢＲ＝ブリッジ破損、×＝欠損歯、｜＝要抜歯、ハッチング（１個）＝金属冠、ハッチング（３個）＝ブリッジ、○＝歯根の病気、・＝う蝕等を示すものである。
【００１６】
次に、図３に示す歯周病用チャート２０の実施例において、２２は咬合面と頬側面、舌側面、隣接面からなる歯冠部を、２３は歯根部を示すものであり、それぞれを図形化した上下１対の模擬歯の図形２４として直線状に配してある。
前記各歯には上下の歯列をそれぞれ２分し、上部左、上部右、下部右、下部左の各ブロック順に歯牙の番号２５を順次付してあり、番号２５の列は上下１対の模擬歯の図形２４の中間に配してある。また各歯の外側には各歯ごとに仕切る仕切り枠２６が記入してあり、各歯のそれぞれに歯周病の程度や症状等が間違いなく記入することができるようになっている。
【００１７】
そして、前記上下１対の模擬歯の図形２４を単一チャート２１として、これを１枚の用紙の上下に配し、さらに各チャート２１のそれぞれに歯科医のメモを書き込むノート欄２７が配置してある。
前記歯周病用チャート２０においては、前記上下１対の模擬歯の図形２４中の歯根部２３に、それぞれ深さ方向に向かう目盛り２８が形成されている。図において３ｍｍ（太線）の位置が歯周病の目安となる。
【００１８】
歯周病の診断に際しては、歯科医は図３の矢印２９−１の方向に、歯の側面、歯の正面、歯の隙間の順に順次歯周病の有無や状態をチェックし、これを矢印２９−２の方向に繰り返して読みあげる。それを看護士が上部チャート２１のそれぞれに書き込む。また、特に歯科医のコメントがあるときにはノート欄２７に書き込む。
前記歯周病の診断を元に歯周病を治療するか、歯磨きの方法を指導した上、所定期間経過した後、歯科医は上記診断の際の手順に沿って、歯の側面、歯の正面、歯の隙間の順に順次歯周病の治療結果や状態をチェックして読みあげる。それを看護士が下部チャート２１のそれぞれに書き込む。また、特に歯科医のコメントがあるときにはノート欄２７に書き込む。
以上のように本歯周病用チャート２０を利用することにより、歯周病の深度や症状等が明確に記録され、治療の指針となって歯周病の治療が非常にしやすくなる。
【００１９】
前記歯周病用チャート２０の使用状態を図４に示す。
それぞれ歯周病の診断記録を上部チャートに、治療結果を下部チャートに記入したものである。
×＝欠損歯、｜＝歯と歯肉の隙間、一点鎖線＝歯肉ポケットの深さ等を示すものである。歯肉ポケットは一般的には３ｍｍ以上が歯周病の目安と言われている。
【００２０】
図５に咬合診査用チャートＡ：３０−１（記入前）を、図６に咬合診査用チャートＡ：３０−１（記入後）を示す。
この咬合診査用チャートＡ：３０−１には、１）自覚症状（患者の訴え）、２）顎機能診査、３）筋肉触診の各欄３１，３２，３３が設けられている。
１）自覚症状（患者の訴え）・・・３１
ａ．顎の関節の痛み
ｂ．口が大きく開きにくくなったか否か
ｃ．口を開けるときの音の有無
ｄ．その他の症状（偏頭痛、肩こり、腰痛、胃腸障害  等）
２）顎機能診査・・・３２
ａ．運動領域（開口量、側方限界運動）
ｂ．下顎の変位
ｃ．咬合音
ｄ．関節音
ｅ．開閉口路
（以上チャート１）
ｆ．ＣＲにおける早期接触
ｇ．CＲ→ＣＯへの滑走
ｈ．側方運動
イ）  作業側でのガイド
ロ）  平衡側での干渉
ハ）  前方運動時の干渉
ニ）  クロスオーバー
ｉ．咬合様式
３）筋肉触診・・・３３
ａ．顎関節部の触診
イ）  外側からの触診
ロ）  外側および外耳道の両方
ｂ．筋肉触診  ：圧縮
イ）  咬筋
ロ）  側頭筋
ハ）  頭頂
ニ）  後頭頚部筋群
ホ）  胸鎖乳突筋
ヘ）  顎二腹筋後腹
ト）  外側翼突筋
チ）  側頭筋腱部
リ）  内側翼突筋
【００２１】
図７に咬合診査用チャートＢ：３０−２（記入前）を、図８に咬合診査用チャートＢ：３０−２（記入後）を示す。
記入の際の重要な箇所には診断結果が記入しやすいように図解が施されており、非常に記入しやすくかつ治療やその後の診断も確実に行うことができるようになる。
【００２２】
図９に口腔衛生用チャート４０（記入前）を、また図１０に口腔衛生用チャート４０（記入後）を示す。
口腔衛生用チャート４０には、複数段の上下1対の歯列が記載されており、各段の上下の歯列の間には内側から外側へ番号が付してある。図中の四角は歯を、×は歯を４分割（近心、遠心、頬、舌、各４面）した各々の状態を示し、％は歯の汚れの度合いを示すものである。
該口腔衛生用チャート４０を使用することにより、歯科衛生士（担当者）がいつ（年月日）診査したときにどのような衛生状態であったか、そしてその後の診査時にどのような衛生状態であるかを簡単に把握することができて非常に有用である。
【００２３】
図１１に示す定期検診用チャート５０の実施例において、上部のチャート５１−１は、う蝕用チャートとして機能する。
図において、５２は咬合面（臼歯のみ）と頬側面、舌側面、隣接面からなる歯冠部を、５３は歯根部を示すものであり、それぞれを図形化した上下１対の模擬歯の図形５４として直線状に配してある。
前記各歯には上下の歯列をそれぞれ２分し、上部左、上部右、下部右、下部左の各ブロック順に歯牙の番号５５を順次付してあり、番号５５の列は上下１対の模擬歯の図形５４の中間に配して歯列全体を表示している。また各歯根の外側には各歯ごとに仕切る仕切り線５６−１が記入してあり、各歯のそれぞれにう蝕の程度や症状等が間違いなく記入することができるようになっている。
【００２４】
下部のチャート５１−２は、歯周病用チャートとして機能する。
図において５２は咬合面（臼歯のみ）と頬側面、舌側面、隣接面からなる歯冠部を、５３は歯根部を示すものであり、それぞれを図形化した上下１対の模擬歯の図形５４として直線状に配してある。
前記各歯には上下の歯列をそれぞれ２分し、上部左、上部右、下部右、下部左の各ブロック順に歯牙の番号５５を順次付してあり、番号５５の列は上下１対の模擬歯の図形５４の中間に配してある。また各歯の外側には各歯ごとに仕切る仕切り枠５６−２が記入してあり、各歯のそれぞれに歯周病の程度や症状等が間違いなく記入することができるようになっている。
前記歯周病用チャート５１−２においては、前記上下１対の模擬歯の図形５４中の歯根部５３に、それぞれ深さ方向に向かう目盛り５８が形成されている。
【００２５】
前記上下１対の模擬歯の図形５４を１つのチャート３１とするとともに、これを１枚の用紙の上下に配し、さらに各チャート５１−１，５１−２のそれぞれに歯科医のメモを書き込むノート欄５７が配置してある。
定期検診に行う場合には、先ず図１の手順に沿ってう蝕の程度や症状等を診断し、う蝕用チャート５１−１を用いて記録する。
次に、先ず図２の手順に沿って歯周病の程度や症状等を診断し、歯周病用チャート５１−２を用いて記録する。
したがって、う蝕や歯周病の程度、症状等を正確に記述することができ、検診後の治療の指針を立てやすくなり、効率よく治療を図ることができるようになる。
【００２６】
前記定期健診用チャート５０の使用状態を図１２に示す。
それぞれう蝕の診断記録を上部チャートに、歯周病の診断結果を下部チャートに記入したものである。
なお、前記う蝕用チャート５１−１、歯周病用チャート５１−２の記入の仕方はそれぞれ図２および図４の通りであるので説明は省略する。
【００２７】
以上のようにして、自由診療によるカルテ様式を備えたう蝕用、歯周病用、咬合用、口腔衛生用、定期検診用の歯科用チャートを利用するに際しては、図１３に示すような治療請負契約用の歯科用チャート６０（記入前）を用い、顧客に対して治療計画および費用の見積りを提示することが望ましい。
治療請負契約用の歯科用チャート６０は、上部に治療の種別が記載され、またほぼ中央に上下１対の模擬歯の図形６１が記載してあり、各歯ごとに引出し線６２を付して症状や治療の計画を記入することができるようになっている。
図１４に記入後の治療請負契約用の歯科用チャート６０を示す。
【産業上の利用可能性】
【００２８】
この考案のう蝕用、歯周病用、咬合用、口腔衛生用、定期検診用の歯科用チャートは、前記したようにそれぞれう蝕用、歯周病用、咬合用、口腔衛生用、定期検診用の各チャートに分離されているので、歯科医の診断結果や治療結果を正確に記述することができ、自由診療のための、またカルテ様式を用いたう蝕用、歯周病用、咬合用、口腔衛生用、定期検診用の歯科用チャートとして好適に利用することができる。
【符号の説明】
【００２９】
１０  う蝕用チャート
１１  単一チャート
１２  歯冠部
１３  歯根部
１４  模擬歯の図形
１５  歯牙の番号
１６  仕切り線
１７  ノート欄
１８−１，１８−２  矢印
２０  歯周病用チャート
２１  単一チャート
２２  歯冠部
２３  歯根部
２４  模擬歯の図形
２５  歯牙の番号
２６  仕切り枠
２７  ノート欄
２８  目盛り
２９−１，２９−２  矢印
３０  咬合診査用チャート
３１  自覚症状（患者の訴え）欄
３２  顎機能診査欄
３３  筋肉触診欄
４０  口腔衛生用チャート
５０  定期検診用チャート
５１−１  う蝕用チャート
５１−２  歯周病用チャート
５２  歯冠部
５３  歯根部
５４  模擬歯の図形
５５  歯牙の番号
５６−１  仕切り線
５６−２  仕切り枠
５７  ノート欄
５８  目盛り
６０  治療請負契約用の歯科用チャート
６１  模擬歯の図形
６２  引出し線
【図１】
0003159231.tif 000003
【図２】
0003159231.tif 000004
【図３】
0003159231.tif 000005
【図４】
0003159231.tif 000006
【図５】
0003159231.tif 000007
【図６】
0003159231.tif 000008
【図７】
0003159231.tif 000009
【図８】
0003159231.tif 000010
【図９】
0003159231.tif 000011
【図１０】
0003159231.tif 000012
【図１１】
0003159231.tif 000013
【図１２】
0003159231.tif 000014
【図１３】
0003159231.tif 000015
【図１４】
0003159231.tif 000016
【手続補正書】
【提出日】平成22年2月22日(2010.2.22)
【手続補正１】
【補正対象書類名】明細書
【補正対象項目名】全文
【補正方法】変更
【補正の内容】
【考案の詳細な説明】
【技術分野】
【０００１】
この考案は、自由診療によるカルテ様式を備えたう蝕用、歯周病用、咬合用、口腔衛生用、定期検診用の歯科用チャートに関するものである。
【背景技術】
【０００２】
従来、この種の歯科用チャートとしては、実開昭４７−３０５９０号公報（特許文献１参照）の歯科用カルテが知られている。
該実開昭４７−３０５９０号公報記載の歯科用カルテは、歯冠および歯根をそれぞれ図形化した模擬歯図形を直線状に配し、この模擬歯図形に平行して治療計画書込み欄および治療スケジュール書込み欄を設けたことを特徴とするものである。
【０００３】
健康保険制度の普及により、このような保険専用のチャートは遍く普及しているが、自由診療によるカルテ様式を備えたう蝕用、歯周病用、咬合用、口腔衛生用、定期検診用の歯科用チャートは現在まで存在しなかった。
【先行技術文献】
【特許文献】
【０００４】
【特許文献１】実開昭４７−３０５９０号公報
【考案の概要】
【考案が解決しようとする課題】
【０００５】
上述のように、実開昭４７−３０５９０号公報（特許文献１参照）には、歯冠および歯根をそれぞれ図形化した模擬歯図形を直線状に配し、この模擬歯図形に平行して治療計画書込み欄および治療スケジュール書込み欄を設けた歯科用カルテが示されている。
【０００６】
しかしながら従来、自由診療に適合したカルテ様式を用いたう蝕用、歯周病用、咬合用、口腔衛生用、定期検診用の歯科用チャートは存在していなかった。
特に、歯科用チャートにおいて模擬歯の図形上の処置や観察の指示面と処理プロセスや処置の不具合の指示面とが記入可能であり、しかも各指示面にメモ書きできるノート欄を備えた自由診療に適合したカルテ様式を用いたう蝕用、歯周病用、咬合用、口腔衛生用、定期検診用の歯科用チャートは存在しなかったのである。
【０００７】
したがって、この考案の自由診療による、う蝕用、歯周病用、咬合用、口腔衛生用、定期検診用の歯科用チャートは、上述した従来の歯科用カルテには存在しなかった、新規な自由診療に適合したカルテ様式を用いたう蝕用、歯周病用、咬合用、口腔衛生用、定期検診用の歯科用チャートを提供しようとするものである。
【課題を解決するための手段】
【０００８】
すなわちこの考案の自由診療による、う蝕用、歯周病用、咬合用、口腔衛生用、定期検診用の歯科用チャートは、歯冠および歯根をそれぞれ図形化した上下１対の模擬歯の図形を直線状に配して各歯に歯牙の番号を順次付して１つのチャートとするとともに、これを１枚の用紙の上下に配し、さらに各チャートのそれぞれにノート欄を配置したことを特徴とするものである。
【０００９】
この考案の自由診療による、う蝕用、歯周病用、咬合用、口腔衛生用、定期検診用の歯科用チャートは、前記上下１対の模擬歯の図形の歯根部が、それぞれ深さ方向に向かう目盛りを形成されていることをも特徴とするものである。
【００１０】
この考案の自由診療による、う蝕用、歯周病用、咬合用、口腔衛生用、定期検診用の歯科用チャートは、前記歯科用チャートが、う蝕用、歯周病用、咬合用、口腔衛生用、定期検診用の各用紙に分離されていることをも特徴とするものである。
【考案の効果】
【００１１】
以上のようにこの考案によれば、歯科用チャートにおいて模擬歯の図形上の処置や観察の指示面と処理プロセスや処置の不具合の指示面とが記入可能であり、しかも各指示面にメモ書きできるノート欄を備えた自由診療に適合したカルテ様式を用いたう蝕用、歯周病用、咬合用、口腔衛生用、定期検診用の歯科用チャートを提供することができるようになった。
したがって、歯科医はう蝕用、歯周病用、咬合用、口腔衛生用、定期検診用の各用紙に実情に即して処置や観察の指示面と処理プロセスや処置の不具合の指示面を記入することができ、懇切丁寧な歯科治療を施すことができるようになった。
【図面の簡単な説明】
【００１２】
【図１】この考案の自由診療による、う蝕用、歯周病用、咬合用、口腔衛生用、定期検診用の歯科用チャート中のう蝕用チャートを示す表面図である。
【図２】その使用状態を示す表面図である。
【図３】この考案の自由診療による、う蝕用、歯周病用、咬合用、口腔衛生用、定期検診用の歯科用チャート中の歯周病用チャートを示す表面図である。
【図４】その使用状態を示す表面図である。
【図５】咬合診査用の歯科用チャートのチャート１（記入前）を示す表面図である。
【図６】咬合診査用の歯科用チャートのチャート１（記入後）を示す表面図である。
【図７】咬合診査用の歯科用チャートのチャート２（記入前）を示す表面図である。
【図８】咬合診査用の歯科用チャートのチャート２（記入後）を示す表面図である。
【図９】口腔衛生用の歯科用チャートを示す表面図である。
【図１０】口腔衛生用の歯科用チャート（記入後）を示す表面図である。
【図１１】この考案の自由診療による、う蝕用、歯周病用、咬合用、口腔衛生用、定期検診用の歯科用チャート中の定期検診用チャート（記入前）を示す表面図である。
【図１２】定期検診用チャート（記入後）を示す表面図である。
【図１３】自由診療に際し、顧客に対して治療計画および費用の見積りを提示するための治療請負契約用の歯科用チャート（記入前）を示す表面図である。
【図１４】治療請負契約用の歯科用チャート（記入後）を示す表面図である。
【考案を実施するための形態】
【００１３】
以下、この考案における自由診療による、う蝕用、歯周病用、咬合用、口腔衛生用、定期検診用の歯科用チャート、および咬合診査用の歯科用チャート、口腔衛生用の歯科用チャートの実施の形態を図面に基いてより詳しく説明する。
図１に示す、う蝕用チャート１０の実施例において、１２は咬合面（臼歯のみ）と頬側面、舌側面、隣接面からなる歯冠部を、１３は歯根部を示すものであり、それぞれを図形化した上下１対の模擬歯の図形１４として直線状に配してある。
前記各歯には上下の歯列をそれぞれ２分し、上部左、上部右、下部右、下部左の各ブロック順に歯牙の番号１５を順次付してあり、該番号１５の列は上下１対の模擬歯の図形１４の中間に配して歯列全体を表示している。また各歯根の外側には各歯ごとに仕切る仕切り線（点線）１６が記入してあり、各歯のそれぞれにう蝕の程度や症状等が間違いなく記入することができるようになっている。
そして、前記上下１対の模擬歯の図形１４を単一チャート１１として、これを１枚の用紙の上下に配し、さらに各チャート１１のそれぞれに歯科医のメモを書き込むノート欄１７が配置してある。
【００１４】
う蝕の診断に際しては、歯科医は図１の矢印１８−１の方向に、歯の側面、歯の歯冠部、歯の隣接面の順に順次う蝕の有無や状態をチェックし、これを矢印１８−２の方向に繰り返して読みあげる。それを看護士が上部チャート１１のそれぞれに書き込む。また、特に歯科医のコメントがあるときにはノート欄１７に書き込む。
前記う蝕の診断を元にう蝕を治療した後、歯科医は上記診断の際の手順に沿って、歯の側面、歯の歯冠部、歯の隣接面の順に順次う蝕の治療結果や状態をチェックして読みあげる。それを看護士が下部チャート１１のそれぞれに書き込む。また、特に歯科医のコメントがあるときにはノート欄１７に書き込む。
以上のように本う蝕用チャート１０を利用することにより、う蝕の程度や症状等が明確に記録され、治療の指針となってう蝕の治療が非常にしやすくなる。
【００１５】
前記う蝕用チャート１０の使用状態を図２に示す。
それぞれう蝕の診断記録をチャート１に、治療結果をチャート２に記入したものである。
ＦO＝冠破損、Ｕ＝アンレー破損、Ａ＝アマルガム破損、ＢＲ＝ブリッジ破損、×＝欠損歯、｜＝要抜歯、ハッチング（１個）＝金属冠、ハッチング（３個）＝ブリッジ、○＝歯根の病気、・＝う蝕等を示すものである。
【００１６】
次に、図３に示す歯周病用チャート２０の実施例において、２２は咬合面と頬側面、舌側面、隣接面からなる歯冠部を、２３は歯根部を示すものであり、それぞれを図形化した上下１対の模擬歯の図形２４として直線状に配してある。
前記各歯には上下の歯列をそれぞれ２分し、上部左、上部右、下部右、下部左の各ブロック順に歯牙の番号２５を順次付してあり、番号２５の列は上下１対の模擬歯の図形２４の中間に配してある。また各歯の外側には各歯ごとに仕切る仕切り枠２６が記入してあり、各歯のそれぞれに歯周病の程度や症状等が間違いなく記入することができるようになっている。
【００１７】
そして、前記上下１対の模擬歯の図形２４を単一チャート２１として、これを１枚の用紙の上下に配し、さらに各チャート２１のそれぞれに歯科医のメモを書き込むノート欄２７が配置してある。
前記歯周病用チャート２０においては、前記上下１対の模擬歯の図形２４中の歯根部２３に、それぞれ深さ方向に向かう目盛り２８が形成されている。図において３ｍｍ（太線）の位置が歯周病の目安となる。
【００１８】
歯周病の診断に際しては、歯科医は図３の矢印２９−１の方向に、歯の側面、歯の正面、歯の隙間の順に順次歯周病の有無や状態をチェックし、これを矢印２９−２の方向に繰り返して読みあげる。それを看護士が上部チャート２１のそれぞれに書き込む。また、特に歯科医のコメントがあるときにはノート欄２７に書き込む。
前記歯周病の診断を元に歯周病を治療するか、歯磨きの方法を指導した上、所定期間経過した後、歯科医は上記診断の際の手順に沿って、歯の側面、歯の正面、歯の隙間の順に順次歯周病の治療結果や状態をチェックして読みあげる。それを看護士が下部チャート２１のそれぞれに書き込む。また、特に歯科医のコメントがあるときにはノート欄２７に書き込む。
以上のように本歯周病用チャート２０を利用することにより、歯周病の深度や症状等が明確に記録され、治療の指針となって歯周病の治療が非常にしやすくなる。
【００１９】
前記歯周病用チャート２０の使用状態を図４に示す。
それぞれ歯周病の診断記録を上部チャートに、治療結果を下部チャートに記入したものである。
×＝欠損歯、｜＝歯と歯肉の隙間、一点鎖線＝歯肉ポケットの深さ等を示すものである。歯肉ポケットは一般的には３ｍｍ以上が歯周病の目安と言われている。
【００２０】
図５に咬合診査用チャートＡ：３０−１（記入前）を、図６に咬合診査用チャートＡ：３０−１（記入後）を示す。
この咬合診査用チャートＡ：３０−１には、１）自覚症状（患者の訴え）、２）顎機能診査、３）筋肉触診の各欄３１，３２，３３が設けられている。
１）自覚症状（患者の訴え）・・・３１
ａ．顎の関節の痛み
ｂ．口が大きく開きにくくなったか否か
ｃ．口を開けるときの音の有無
ｄ．その他の症状（偏頭痛、肩こり、腰痛、胃腸障害  等）
２）顎機能診査・・・３２
ａ．運動領域（開口量、側方限界運動）
ｂ．下顎の変位
ｃ．咬合音
ｄ．関節音
ｅ．開閉口路
（以上チャート１）
ｆ．ＣＲにおける早期接触
ｇ．CＲ→ＣＯへの滑走
ｈ．側方運動
イ）  作業側でのガイド
ロ）  平衡側での干渉
ハ）  前方運動時の干渉
ニ）  クロスオーバー
ｉ．咬合様式
３）筋肉触診・・・３３
ａ．顎関節部の触診
イ）  外側からの触診
ロ）  外側および外耳道の両方
ｂ．筋肉触診  ：圧縮
イ）  咬筋
ロ）  側頭筋
ハ）  頭頂
ニ）  後頭頚部筋群
ホ）  胸鎖乳突筋
ヘ）  顎二腹筋後腹
ト）  外側翼突筋
チ）  側頭筋腱部
リ）  内側翼突筋
【００２１】
図７に咬合診査用チャートＢ：３０−２（記入前）を、図８に咬合診査用チャートＢ：３０−２（記入後）を示す。
記入の際の重要な箇所には診断結果が記入しやすいように図解が施されており、非常に記入しやすくかつ治療やその後の診断も確実に行うことができるようになる。
【００２２】
図９に口腔衛生用チャート４０（記入前）を、また図１０に口腔衛生用チャート４０（記入後）を示す。
口腔衛生用チャート４０には、複数段の上下1対の歯列が記載されており、各段の上下の歯列の間には内側から外側へ番号が付してある。図中の四角は歯を、×は歯を４分割（近心、遠心、頬、舌、各４面）した各々の状態を示し、％は歯の汚れの度合いを示すものである。
該口腔衛生用チャート４０を使用することにより、歯科衛生士（担当者）がいつ（年月日）診査したときにどのような衛生状態であったか、そしてその後の診査時にどのような衛生状態であるかを簡単に把握することができて非常に有用である。
【００２３】
図１１に示す定期検診用チャート５０の実施例において、上部のチャート５１−１は、う蝕用チャートとして機能する。
図において、５２は咬合面（臼歯のみ）と頬側面、舌側面、隣接面からなる歯冠部を、５３は歯根部を示すものであり、それぞれを図形化した上下１対の模擬歯の図形５４として直線状に配してある。
前記各歯には上下の歯列をそれぞれ２分し、上部左、上部右、下部右、下部左の各ブロック順に歯牙の番号５５を順次付してあり、番号５５の列は上下１対の模擬歯の図形５４の中間に配して歯列全体を表示している。また各歯根の外側には各歯ごとに仕切る仕切り線５６−１が記入してあり、各歯のそれぞれにう蝕の程度や症状等が間違いなく記入することができるようになっている。
【００２４】
下部のチャート５１−２は、歯周病用チャートとして機能する。
図において５２は咬合面（臼歯のみ）と頬側面、舌側面、隣接面からなる歯冠部を、５３は歯根部を示すものであり、それぞれを図形化した上下１対の模擬歯の図形５４として直線状に配してある。
前記各歯には上下の歯列をそれぞれ２分し、上部左、上部右、下部右、下部左の各ブロック順に歯牙の番号５５を順次付してあり、番号５５の列は上下１対の模擬歯の図形５４の中間に配してある。また各歯の外側には各歯ごとに仕切る仕切り枠５６−２が記入してあり、各歯のそれぞれに歯周病の程度や症状等が間違いなく記入することができるようになっている。
前記歯周病用チャート５１−２においては、前記上下１対の模擬歯の図形５４中の歯根部５３に、それぞれ深さ方向に向かう目盛り５８が形成されている。
【００２５】
前記上下１対の模擬歯の図形５４を１つのチャート３１とするとともに、これを１枚の用紙の上下に配し、さらに各チャート５１−１，５１−２のそれぞれに歯科医のメモを書き込むノート欄５７が配置してある。
定期検診に行う場合には、先ず図１の手順に沿ってう蝕の程度や症状等を診断し、う蝕用チャート５１−１を用いて記録する。
次に、先ず図２の手順に沿って歯周病の程度や症状等を診断し、歯周病用チャート５１−２を用いて記録する。
したがって、う蝕や歯周病の程度、症状等を正確に記述することができ、検診後の治療の指針を立てやすくなり、効率よく治療を図ることができるようになる。
【００２６】
前記定期健診用チャート５０の使用状態を図１２に示す。
それぞれう蝕の診断記録を上部チャートに、歯周病の診断結果を下部チャートに記入したものである。
なお、前記う蝕用チャート５１−１、歯周病用チャート５１−２の記入の仕方はそれぞれ図２および図４の通りであるので説明は省略する。
【００２７】
以上のようにして、自由診療によるカルテ様式を備えたう蝕用、歯周病用、咬合用、口腔衛生用、定期検診用の歯科用チャートを利用するに際しては、図１３に示すような治療請負契約用の歯科用チャート６０（記入前）を用い、顧客に対して治療計画および費用の見積りを提示することが望ましい。
治療請負契約用の歯科用チャート６０は、上部に治療の種別が記載され、またほぼ中央に上下１対の模擬歯の図形６１が記載してあり、各歯ごとに引出し線６２を付して症状や治療の計画を記入することができるようになっている。
図１４に記入後の治療請負契約用の歯科用チャート６０を示す。
【産業上の利用可能性】
【００２８】
この考案の自由診療による、う蝕用、歯周病用、咬合用、口腔衛生用、定期検診用の歯科用チャートは、前記したようにそれぞれう蝕用、歯周病用、咬合用、口腔衛生用、定期検診用の各チャートに分離されているので、歯科医の診断結果や治療結果を正確に記述することができ、自由診療のための、またカルテ様式を用いたう蝕用、歯周病用、咬合用、口腔衛生用、定期検診用の歯科用チャートとして好適に利用することができる。
【符号の説明】
【００２９】
１０  う蝕用チャート
１１  単一チャート
１２  歯冠部
１３  歯根部
１４  模擬歯の図形
１５  歯牙の番号
１６  仕切り線
１７  ノート欄
１８−１，１８−２  矢印
２０  歯周病用チャート
２１  単一チャート
２２  歯冠部
２３  歯根部
２４  模擬歯の図形
２５  歯牙の番号
２６  仕切り枠
２７  ノート欄
２８  目盛り
２９−１，２９−２  矢印
３０  咬合診査用チャート
３１  自覚症状（患者の訴え）欄
３２  顎機能診査欄
３３  筋肉触診欄
４０  口腔衛生用チャート
５０  定期検診用チャート
５１−１  う蝕用チャート
５１−２  歯周病用チャート
５２  歯冠部
５３  歯根部
５４  模擬歯の図形
５５  歯牙の番号
５６−１  仕切り線
５６−２  仕切り枠
５７  ノート欄
５８  目盛り
６０  治療請負契約用の歯科用チャート
６１  模擬歯の図形
６２  引出し線
【手続補正２】
【補正対象書類名】実用新案登録請求の範囲
【補正対象項目名】全文
【補正方法】変更
【補正の内容】
【実用新案登録請求の範囲】
【請求項１】
歯冠および歯根をそれぞれ図形化した上下１対の模擬歯の図形を直線状に配して各歯に歯牙の番号を順次付して１つのチャートとするとともに、これを１枚の用紙の上下に配し、さらに各チャートのそれぞれにノート欄を配置したことを特徴とする自由診療による、う蝕用、歯周病用、咬合用、口腔衛生用、定期検診用の歯科用チャート。
【請求項２】
前記上下１対の模擬歯の図形の歯根部が、それぞれ深さ方向に向かう目盛りを形成されていることを特徴とする請求項１記載の自由診療による、う蝕用、歯周病用、咬合用、口腔衛生用、定期検診用の歯科用チャート。
【請求項３】
前記歯科用チャートが、う蝕用、歯周病用、咬合用、口腔衛生用、定期検診用の各用紙に分離されていることを特徴とする請求項１記載の自由診療による、う蝕用、歯周病用、咬合用、口腔衛生用、定期検診用の歯科用チャート。